(57)【要約】【課題】ディスプレイ装置を壁に取り付ける場合に、ディスプレイ装置から壁に作用する荷重の一部を受けるようにしながらも、接続線にて接続部をディスプレイ装置と接続できるディスプレイ用付加装置を提供する。【解決手段】ディスプレイ装置２の背面側に取着される器体１０は、薄箱状に形成された埋込部１１と、埋込部１１の前端部の周縁から延設された取付片１２とを有する。ディスプレイ装置２を壁に取り付けた状態では、埋込部１１の後部は取付穴８内に収まり、取付片１２は取付穴８と重なる部位を残して背面の外周部が壁面の取付穴８の開口周縁に当接する。埋込部１１のうち取付穴８内に収まる部位には、ディスプレイ装置２に対して接続線２０にて接続される接続部１４が配置される。取付片１２のうち取付穴８と重なる部位には、接続線２０を通す大きさの挿通口１６が貫設される。【選択図】図１
2010175651.tif 000002
【特許請求の範囲】
【請求項１】
一部に取付穴が開口した壁に対して取付穴を覆う形で取り付けられるディスプレイ装置の背面側に取着される器体と、ディスプレイ装置に対して接続線で接続される接続部とを備え、ディスプレイ装置と共に所定の機能を実現するディスプレイ用付加装置であって、器体は、ディスプレイ装置を壁に取り付けた状態で取付穴内に後部が収まる埋込部と、埋込部の前面に沿う面内で埋込部の前端部の周縁から延設されディスプレイ装置に対して機械的に結合される取付片とを有し、接続部は、埋込部のうちディスプレイ装置を壁に取り付けた状態で取付穴内に収まる部位に配置され、取付片は、ディスプレイ装置を壁に取り付けた状態で取付穴と重なる部位を残して背面の外周部を壁面における取付穴の開口周縁に当接させ、取付穴と重なる部位には前後方向に貫通し接続部に接続された接続線を通す大きさの挿通口が形成されていることを特徴とするディスプレイ用付加装置。
【請求項２】
前記接続部には前記接続線を複数本接続可能であって、前記取付片は、接続線間を仕切る仕切壁を前記挿通口内に具備することを特徴とする請求項１記載のディスプレイ用付加装置。 
【発明の詳細な説明】
【技術分野】
【０００１】
本発明は、ディスプレイ装置に対して接続線で接続されることによりディスプレイ装置と共に所定の機能を実現するディスプレイ用付加装置に関するものである。
【背景技術】
【０００２】
従来から、テレビ受像機としての機能を有したディスプレイ装置や、コンピュータのモニタとしての機能を有したディスプレイ装置などの分野においては、液晶ディスプレイやプラズマディスプレイ等のフラットパネルディスプレイの登場により、本体の薄型化が進んでいる。このような薄型のディスプレイ装置としては、専用の取付金具等を用いて壁に取り付けられる（壁掛け設置される）ものが知られている。ディスプレイ装置を壁に取り付けることで、床面上（あるいは卓上）にディスプレイ装置を置くためのスペースが不要となり、床面上（あるいは卓上）のスペースを有効に利用できるという利点がある。
【０００３】
ところで、ディスプレイ装置には様々な機能が要求されており、たとえばテレビ受像機として使用されるディスプレイ装置に、宅内の機器（監視カメラ、電気錠など）の監視・制御を行う監視制御装置としての機能が要求される場合がある。この場合、ディスプレイ装置とは別体であって、宅内の機器との通信機能を備えたディスプレイ用付加装置を用い、当該ディスプレイ用付加装置に設けた接続部をディスプレイ装置に対して接続線で接続することにより、ディスプレイ用付加装置とディスプレイ装置とで監視制御装置としての機能を実現することができる。他に、たとえばテレビ用チューナを内蔵していないディスプレイ装置に対して、テレビ用チューナを内蔵したディスプレイ用付加装置を接続線で接続することにより、テレビ受像機としての機能を実現することができる。
【０００４】
この種のディスプレイ用付加装置はディスプレイ装置と別体であるから、ディスプレイ用付加装置の設置場所がディスプレイ装置とは別に必要となる。そこで、ディスプレイ用付加装置をディスプレイ装置に取着可能とし、ディスプレイ装置とディスプレイ用付加装置とを併せて用いる場合に、その設置スペースを極力小さく抑えることが考えられる。ディスプレイ用付加装置や接続線が前方から見えると見映えが悪くなるので、ディスプレイ用付加装置はディスプレイ装置の背面側に取着される（たとえば特許文献１参照）。
【０００５】
ここで、ディスプレイ装置の背面側にディスプレイ用付加装置が取着されていると、ディスプレイ装置を壁に取り付ける場合、ディスプレイ用付加装置が壁と干渉してしまう。そのため、特許文献１に記載の構成では、ディスプレイ装置（平面状表示部）を床面上に置く場合にはディスプレイ用付加装置（チューナボックス）をディスプレイ装置の背面側に取り付け、ディスプレイ装置を壁に取り付ける場合にはディスプレイ用付加装置を取り外すようにしてある。
【０００６】
ただし、ディスプレイ用付加装置を取り外した状態でディスプレイ装置を壁に取り付けると、結局、床面上（あるいは卓上）にディスプレイ用付加装置を置くためのスペースを確保する必要があり、有効に利用できる床面上（あるいは卓上）のスペースが狭くなる。そこで、ディスプレイ装置を取り付ける壁のディスプレイ用付加装置に対応する位置に取付穴を設けて、当該取付穴にディスプレイ用付加装置が挿入される構造とすることで、ディスプレイ用付加装置が背面に取着された状態のディスプレイ装置を壁に取り付けることが考えられる。この場合、壁面からのディスプレイ装置の突出量を小さく抑えるため、接続線が接続される接続部は、ディスプレイ用付加装置のうちディスプレイ装置を壁に取り付けた状態で取付穴内に収まる位置に設けられ、取付穴内で接続線が接続されるようにする。
【先行技術文献】
【特許文献】
【０００７】
【特許文献１】特開平９−６２５０号公報
【発明の概要】
【発明が解決しようとする課題】
【０００８】
ところで、取付穴を設けた壁に対して、ディスプレイ用付加装置が取着されたディスプレイ装置を取り付ける場合、ディスプレイ用付加装置の全体が取付穴内に収まるようにすると、ディスプレイ装置から壁に作用する荷重をディスプレイ用付加装置で受けることはできない。そこで、ディスプレイ用付加装置の前端部の周縁から取付穴より一回り大きい取付片を延設し、取付片の背面の外周部を壁面における取付穴の開口周縁に当接させる構成が考えられる。この構成では、ディスプレイ装置から壁に作用する荷重の一部をディスプレイ用付加装置で受けることができるため、ディスプレイ装置の支持強度が増しディスプレイ装置のぐらつきの抑制などの効果が期待できる。
【０００９】
しかし、上記構成では、取付穴の開口面がディスプレイ用付加装置で覆われることになるため、取付穴内の接続部に接続された接続線を取付穴内から引き出すことができず、接続部をディスプレイ装置に接続できないという問題がある。
【００１０】
本発明は上記事由に鑑みて為されたものであって、ディスプレイ装置を壁に取り付ける場合に、ディスプレイ装置から壁に作用する荷重の一部を受けるようにしながらも、接続線にて接続部をディスプレイ装置と接続することができるディスプレイ用付加装置を提供することを目的とする。
【課題を解決するための手段】
【００１１】
請求項１の発明は、一部に取付穴が開口した壁に対して取付穴を覆う形で取り付けられるディスプレイ装置の背面側に取着される器体と、ディスプレイ装置に対して接続線で接続される接続部とを備え、ディスプレイ装置と共に所定の機能を実現するディスプレイ用付加装置であって、器体が、ディスプレイ装置を壁に取り付けた状態で取付穴内に後部が収まる埋込部と、埋込部の前面に沿う面内で埋込部の前端部の周縁から延設されディスプレイ装置に対して機械的に結合される取付片とを有し、接続部が、埋込部のうちディスプレイ装置を壁に取り付けた状態で取付穴内に収まる部位に配置され、取付片が、ディスプレイ装置を壁に取り付けた状態で取付穴と重なる部位を残して背面の外周部を壁面における取付穴の開口周縁に当接させ、取付穴と重なる部位には前後方向に貫通し接続部に接続された接続線を通す大きさの挿通口が形成されていることを特徴とする。
【００１２】
この構成によれば、取付片が、ディスプレイ装置を壁に取り付けた状態で背面の外周部を壁面の取付穴の開口周縁に当接させるので、ディスプレイ装置を壁に取り付けた状態で、ディスプレイ装置から壁に作用する荷重の一部を取付片にて受けることができる。したがって、壁面に対してディスプレイ用付加装置の器体を当接させない場合に比べて、ディスプレイ装置の支持強度が増し、ディスプレイ装置のぐらつきの抑制などの効果を期待できる。しかも、取付片のうち取付穴と重なる部位に挿通口が形成されているので、取付穴内で接続部に接続された接続線を取付穴から挿通口を通して引き出し可能となり、当該接続線にて接続部をディスプレイ装置と接続することが可能になる。
【００１３】
請求項２の発明は、請求項１の発明において、前記接続部には前記接続線を複数本接続可能であって、前記取付片が、接続線間を仕切る仕切壁を前記挿通口内に具備することを特徴とする。
【００１４】
この構成によれば、複数の接続線間は挿通口内において仕切壁によって仕切られることになるので、たとえば信号系の接続線と電源系の接続線とを分離して配線することで互いのノイズの影響を抑制することができる。また、接続線間を仕切ることにより接続線同士が絡まることを防止できるという利点もある。
【発明の効果】
【００１５】
本発明は、壁面の取付穴の開口周縁に対して背面の外周部を当接させる取付片のうち、取付穴と重なる部位に挿通口が形成されているので、ディスプレイ装置を壁に取り付ける場合に、ディスプレイ装置から壁に作用する荷重の一部を受けながらも、接続線にて接続部をディスプレイ装置と接続できるという利点がある。
【図面の簡単な説明】
【００１６】
【図１】本発明の実施形態１を示し壁にディスプレイ装置を取り付けた状態の概略断面図である。
【図２】同上を用いた宅内ネットワークシステムの構成を示す図である。
【図３】同上のディスプレイ用付加装置を示し、（ａ）は前面側から見た斜視図、（ｂ）は背面側から見た斜視図である。
【図４】本発明の実施形態２を示す前面側から見た斜視図である。
【発明を実施するための形態】
【００１７】
以下の実施形態では、宅内の通信網（以下、宅内網という）を通して複数の機器の監視や制御を可能とした宅内ネットワークシステムに用いられるディスプレイ用付加装置（以下、「付加装置」と略称する）を例示する。以下に、宅内ネットワークシステムについて図２を参照して簡単に説明する。
【００１８】
宅内に設けられる統合管理装置３は、宅内網を構築する主装置であり、宅内網において機器が構築するサブシステム４などと通信を行う。サブシステム４としては、来客対応などを行う機器からなるインターホンシステム、侵入者の監視などを行う機器からなるセキュリティシステム、照明器具や空調設備等からなる設備システムなどがある。各サブシステム４は、自立分散システムを構成しており、サブシステム４単独でも動作が可能になっている。
【００１９】
統合管理装置３は、宅内網に接続されるだけではなく、インターネットを構築する広域網ＮＥに接続される接続口を有している。統合管理装置３が広域網ＮＥに接続されている場合には、広域網ＮＥに接続されたセンタサーバ（図示せず）によるサービスを享受することができる。センタサーバが提供するサービスには、広域網ＮＥを通して宅内網に接続された機器の監視や制御を可能にするサービスがある。このサービスにより、パーソナルコンピュータ、移動体電話機などのブラウザ機能を備える通信端末（図示せず）を用いて、宅外からでも宅内網に接続された機器の監視や制御が可能になる。
【００２０】
統合管理装置３は、広域網ＮＥに接続されたセンタサーバとの間の通信と、宅内網に接続された機器との間の通信との両方の機能を備え、センタサーバとの通信機能を用いることにより、広域網ＮＥに接続された通信端末からセンタサーバを通して宅内の機器の監視や制御を可能にする。センタサーバは、宅内の機器と広域網ＮＥ上の通信端末とを仲介する。
【００２１】
通信端末から宅内の機器の監視や制御を行う場合は、監視や制御の要求をセンタサーバに記憶させ、宅内の機器が定期的に片方向のポーリング通信を行うことにより、通信端末からの監視や制御の要求を受信する。この動作により、通信端末から宅内の機器の監視や制御が可能になる。
【００２２】
また、宅内の機器において侵入者を検知したことによる発報など通信端末に通知すべきイベントが生じたときには、宅内の機器からセンタサーバに通知し、センタサーバから通信端末に対して電子メールによる通知を行う。
【００２３】
付加装置１は、統合管理装置３との通信を行う通信機能部１ａと、テレビ受像機として使用されるディスプレイ装置２を接続するためのインタフェース部１ｂと、少なくともブラウザ機能を有する処理部１ｃとを備えている。処理部１ｃは、通信機能部１ａにて統合管理装置３から受け取った情報をディスプレイ装置２に表示させるとともに、ディスプレイ装置２に表示された選択肢の中から所望の内容を選択する操作がディスプレイ装置２のリモコン送信機（図示せず）で行われた際に、当該操作に対応する情報を統合管理装置３に送信する。したがって、ディスプレイ装置２のユーザは、ディスプレイ装置２の画面上で機器の監視ないし制御が可能になる。
【００２４】
ここで、付加装置１は上述した機能を実現するために、接続線２０が接続される接続部をインタフェース部１ｂに有し、映像、音声、制御用の各接続線２０にてディスプレイ装置２と接続されている。さらに、付加装置１とディスプレイ装置２とは電源用の接続線２０でも接続されており、住宅分電盤５から付加装置１に電源供給することで、ディスプレイ装置２にも電源供給されるようにしてある。
【００２５】
このように、以下の実施形態で例示する付加装置１は、ディスプレイ装置２と共に、宅内ネットワークシステムにおいて宅内の機器の監視・制御を行う監視制御装置６としての機能を実現する。
【００２６】
（実施形態１）
本実施形態の付加装置１は、図３に示すようにディスプレイ装置２の背面側に取着される器体１０を備えている。器体１０は、図３（ｂ）のように前面が横長の長方形となる薄箱状に形成された埋込部１１と、図３（ａ）のように埋込部１１の前面に沿う面内で埋込部１１の前端部の周縁から延設された取付片１２とで構成されている。
【００２７】
取付片１２は、埋込部１１の前面の全周に亘って形成されており、４隅に設けた取着孔１３を通してねじ７（図１参照）を締め付けることにより、ディスプレイ装置２に対して機械的に結合されるものである。すなわち、器体１０は、ディスプレイ装置２に対して取付片１２をねじ固定することにより、取付片１２の前面をディスプレイ装置２の背面に当接させた状態で、ディスプレイ装置２の背面側に取着されることとなる。
【００２８】
埋込部１１は、その前面を取付片１２の前面と略面一にしており、器体１０がディスプレイ装置２に取着された状態では前面がディスプレイ装置２の背面に当接する。埋込部１１のうち、背面側において取付片１２よりも後方に突き出た部分の下面には、ディスプレイ装置２に接続された接続線を接続するための接続部が設けられ、また、埋込部１１の背面には、ディスプレイ装置２に接続された接続線以外の配線を接続するための各種端子が設けられている。接続部は複数（ここでは１４Ａ〜１４Ｆの６つ）設けられているが、以下、各接続部を区別しないときには接続部１４と呼び、これに接続される各接続線を区別しないときには接続線２０と呼ぶ。同様に、端子も複数（ここでは１５Ａ〜１５Ｄの４つ）設けられているが、各端子を区別しないときには端子１５と呼び、これに接続される各配線を区別しないときには配線２１と呼ぶ。
【００２９】
具体的に説明すると、接続部１４として、同軸ケーブル２０Ａを接続するための接続端子１４Ａと、ＨＤＭＩケーブル２０Ｂを接続するためのＨＤＭＩポート１４Ｂと、ＬＡＮケーブル２０Ｃを接続するためのモジュラジャック１４Ｃと、電源線（図示せず）を接続するためのコンセント１４Ｄと、その他の信号線（図示せず）を接続するための接続端子１４Ｅ，１４Ｆとを少なくとも具備している。これらの接続部１４は左右方向に並べて配置される。各接続部１４に接続された接続線２０（同軸ケーブル２０Ａ、ＨＤＭＩケーブル２０Ｂ、ＬＡＮケーブル２０Ｃを含む）の他端は、それぞれディスプレイ装置２の背面側の適所に設けられたディスプレイ側端子（図示せず）に接続される。
【００３０】
なお、図３の例では、ディスプレイ装置２の電源線を接続するためのコンセント１４Ｄとして交流用のコンセントを示しており、付加装置１に供給されている商用電源等の交流電源をコンセント１４Ｄからディスプレイ装置２に供給するものとする。ただしこの例に限らず、ディスプレイ装置２が直流電力により駆動される直流機器である場合、付加装置１に商用電源等の交流電源を直流電源に変換するＡＣ／ＤＣコンバータを設け、接続部１４としての直流コンセントから電源線を介してディスプレイ装置２に電源供給するようにしてもよい。さらに、付加装置１に対して交流電源ではなく直流電源が供給される場合、ＤＣ／ＤＣコンバータを付加装置１に設け、電圧変換後の直流電源を接続部１４としての直流コンセントからディスプレイ装置２に供給することも考えられる。
【００３１】
一方、接続線２０以外の配線２１を接続する端子１５としては、図示しないアンテナに接続された同軸ケーブルを接続するための接続端子１５Ａと、統括管理装置３に接続されたＬＡＮケーブルを接続するためのモジュラジャック１５Ｂと、住宅分電盤５からの電源ケーブルを接続するための速結端子１５Ｃと、その他の信号線を接続するための接続端子１５Ｄとを具備している。これらの端子１５に接続される配線２１は、いずれも壁パネルＷＰ（図１参照）の背面側（壁裏）を通して引き回される。
【００３２】
なお、接続部１４および各種端子１５は、埋込部１１のうち取付片１２よりも後方に突き出た部分に配置されていればよく、上述したように埋込部１１の下面および背面にそれぞれ配置されるものに限らない。ただし、器体１０をディスプレイ装置２に取着した状態では、器体１０の前面がディスプレイ装置２の背面に当接するので、埋込部１１の前面に接続部１４や各種端子１５を配置することはできない。
【００３３】
上記構成の付加装置１が背面側に取着されたディスプレイ装置２は、図１に示すように取付穴８が開口した壁に対して取り付けられる。すなわち、壁を構成する壁パネルＷＰの背面側（壁裏）には前面開口の薄箱状に形成された埋込ボックスＳＢが配設されており、壁パネルＷＰのうち埋込ボックスＳＢに対応する部分には矩形状の施工孔が開設されている。この施工孔と埋込ボックスＳＢの内部空間とで、付加装置１との干渉を避けるための取付穴８が構成される。取付穴８の開口面は、ディスプレイ装置２の外形に比べて十分に小さく、ディスプレイ装置２を壁に取り付けた状態ではディスプレイ装置２によりその全面が覆われる。壁裏を通した配線２１は、埋込ボックスＳＢの上壁に設けた孔（図示せず）を通して埋込ボックスＳＢ内に引き込まれ、各種端子１５に接続される。
【００３４】
ここにおいて、ディスプレイ装置２の壁への取り付けには専用の取付金具９を用いるものとする。この取付金具９は、ディスプレイ装置２の背面側において付加装置１と干渉しない形状に形成されており、少なくとも取付穴８の上方と下方との２箇所にてディスプレイ装置２と壁とを機械的に結合する。なお、取付金具９は壁に対してねじ止めされ、ディスプレイ装置２を引っ掛けることにより支持するものであって、ディスプレイ装置２を壁に取り付ける際には、予め取付金具９を壁に取り付けた状態で、ディスプレイ装置２を取付金具９に掛け止める手順で施工される。
【００３５】
取付穴８の開口面は、上下寸法と左右寸法とのいずれもが取付片１２を含む器体１０全体の背面に比べて小さく、且つ埋込部１１の背面に比べて大きく設定されている。取付穴８の深さ寸法は、埋込部１１のうち取付片１２よりも後方に突き出た部分の前後方向の寸法よりも大きく設定されている。そして、付加装置１を背面に取着したディスプレイ装置２は、取付穴８内に付加装置１の埋込部１１の後部（取付片１２よりも後方に突き出た部分）が収まるように、取付穴８と付加装置１との相対的な位置を合わせて壁に取り付けられる。このとき、付加装置１の取付片１２は取付穴８と前後方向に重なる部位を残して背面の外周部が壁面における取付穴８の開口周縁に当接する。
【００３６】
ところで、本実施形態の付加装置１は、取付片１２のうち取付穴８と前後方向に重なる部位に、接続線２０を通す大きさであって前後方向に貫通する挿通口１６が形成されている。この挿通口１６は、取付片１２のうち埋込部１１の前面の下辺から下方に突出した部分の一部が、少なくとも取着孔１３を設けた部位（左右方向の両端部）を残すよう切り欠かれることによって形成されている。本実施形態では、左右方向に連通した横長形状の挿通口１６とする。なお、挿通口１６は切欠に限るものではなく、接続線２０を通す大きさの孔でもよい。
【００３７】
以上説明した構成によれば、付加装置１が取着されたディスプレイ装置２を壁に取り付けた状態において、付加装置１の取付片１２は背面の外周部を壁面における取付穴８の開口周縁に当接させるので、ディスプレイ装置２から壁に作用する荷重の一部を付加装置１で受けることができる。結果的に、付加装置１を壁面に当接させない場合に比べると、ディスプレイ装置２の支持強度が増してディスプレイ装置２のぐらつきを抑制できるなどの効果が期待できる。しかも、取付片１２のうち取付穴８と重なる部位には挿通口１６が貫設されているので、取付穴８の開口が器体１０によって完全に塞がれることはなく、接続部１４に接続された接続線２０を挿通口１６を通して取付穴８の外側に引き出すことができる。そのため、接続線２０にて接続部１４とディスプレイ装置２とを接続することが可能になる。
【００３８】
また、取付穴８の開口面を器体１０全体の背面より小さく形成しているため、取付穴８を器体１０より大きく形成する場合に比べ、壁パネルＷＰの強度を高く保つことができるという効果も期待できる。
【００３９】
さらにまた、本実施形態では、埋込部１１の下面に接続部１４を配置し、その近傍となる取付片１２の下部に挿通口１６を形成してあるので、接続部１４に接続された接続線２０を最短経路で取付穴８の外側に引き出すことができ、接続線２０に必要な長さを比較的短くすることができる。ここで、接続線２０の余長分に関しては、取付穴８内の空きスペースに収めることが可能である。
【００４０】
ところで、本実施形態のように付加装置１をディスプレイ装置２に取着する構成では、ディスプレイ装置２と付加装置１とを合わせた設置スペースを極力小さく抑えることができ、且つ接続線２０を極力短くできるという利点がある。ただし、ディスプレイ装置２が大き過ぎてディスプレイ装置２を壁に取り付けることができないような場合には、付加装置１をディスプレイ装置２に取着することなく壁に直接取り付けることも可能である。この場合、付加装置１は、取付片１２の取着孔１３を用いて埋込ボックスＳＢに対してねじ固定される。すなわち、取付片１２の取着孔１３を、付加装置１のディスプレイ装置２への取り付けと、壁への取り付けとで兼用することができる。接続線２０は、挿通口１６を通して取付穴８から引き出され、別に設置されたディスプレイ装置２に接続される。
【００４１】
なお、取付片１２に対してたとえばゴム材料からなるシート部材（図示せず）を挿通口１６を覆うように取り付け、シート部材と取付穴８の開口周縁との隙間から接続線２０を引き出し可能としながらも、壁パネルＷＰの前面側（室内空間）と背面側（壁裏空間）とをシート部材にて分離する構成としてもよい。これにより、挿通口１６を通じて室内空間と壁裏空間とがつながることによる不具合（たとえば室内の冷暖房効率の低下など）を回避できる。
【００４２】
（実施形態２）
本実施形態の付加装置１は、図４に示すように接続線２０間を仕切る仕切壁１７を挿通口１６内に設けた点が実施形態１の付加装置１と相違する。
【００４３】
すなわち、挿通口１６は、取付片１２が仕切壁１７となる部位を残して切り欠かれることにより形成されている。ここに、仕切壁１７は複数（ここでは３つ）設けられている。挿通口１６は左右方向において仕切壁１７によって複数（ここでは４つ）に分断される。
【００４４】
この構成では、接続線２０間が挿通口１６内において仕切壁１７によって仕切られることになるので、接続線２０同士を互いに分離して接続線２０間の混触を防ぐことができる。特に、信号系の接続線２０と電源系の接続線２０との間を分離することで、電源系から信号系へのノイズの影響を低減することができる。さらに、挿通口１６内において接続線２０間が仕切られていることで、接続線２０同士が絡まることを防止できるという利点もある。
【００４５】
その他の構成および機能は実施形態１と同様である。
【００４６】
ところで、本発明に係る付加装置１は、上述した監視制御装置６としての機能を実現するものに限らず、ディスプレイ装置２と共に何らかの機能を実現するものであればよい。たとえば、テレビ用チューナを内蔵した付加装置１であって、テレビ用チューナを内蔵していないディスプレイ装置２に対して接続されることにより、ディスプレイ装置２と共にテレビ受像機としての機能を実現するものや、宅内網あるいは広域網に接続されたコンテンツ配信サーバから配信されるＡＶコンテンツ（映像・音声）をディスプレイ装置２に再生する機能を有するものなどであってもよい。また、ワイヤレス受信機としての機能を内蔵し、ワイヤレス送信機から送信される信号を受信してディスプレイ装置２に映像を表示させる付加装置１とすることも考えられる。接続部１４の形態などは、付加装置１やディスプレイ装置２の機能に応じて適宜変更される。
【符号の説明】
【００４７】
１  ディスプレイ用付加装置
２  ディスプレイ装置
８  取付穴
１０  器体
１１  埋込部
１２  取付片
１４  接続部
１６  挿通口
１７  仕切壁
２０  接続線
【図１】
2010175651.tif 000003
【図２】
2010175651.tif 000004
【図３】
2010175651.tif 000005
【図４】
2010175651.tif 000006